【手続補正書】
【提出日】平成25年8月23日(2013.8.23)
【手続補正１】
【補正対象書類名】特許請求の範囲
【補正対象項目名】全文
【補正方法】変更
【補正の内容】
【特許請求の範囲】
【請求項１】
電源電圧が印加されてクロック信号を生成する発振回路と、
前記クロック信号に基づいて計時データを出力する計時回路と、
前記電源電圧を監視する第１電圧検出回路と、
データを、前記電源電圧に基づいてメモリーに記録させる記録制御回路と、
前記電源電圧を前記第１電圧検出回路により監視した結果に基づいて、前記発振回路の電力消費を低減させるように前記発振回路の動作を制御する第１スイッチ回路と、
を有するリアルタイムクロックモジュール。
【請求項２】
前記発振回路の電力消費を低減させるように前記発振回路の動作を制御することは、前記発振回路の停止を制御することであることを特徴とする、請求項１に記載のリアルタイムクロックモジュール。
【請求項３】
前記第１電圧検出回路は、第１閾値と前記電源電圧とを比較した信号を出力することを特徴とする、請求項１または２に記載のリアルタイムクロックモジュール。
【請求項４】
前記データは、入力されたイベントと前記計時データとを関連付けたデータであることを特徴とする、請求項１乃至３のいずれか一項に記載のリアルタイムクロックモジュール。
【請求項５】
前記電源電圧を監視する第２電圧検出回路と、
前記イベントの入力を検出するイベント検出回路と、
前記第２電圧検出回路から出力された信号に基づいて、前記イベント検出回路の動作を制御する第２スイッチ回路と、
を有することを特徴とする請求項４に記載のリアルタイムクロックモジュール。
【請求項６】
前記第１スイッチ回路は、前記第２電圧検出回路から出力された信号、および前記イベント検出回路から出力された信号に基づいて、前記発振回路の動作を制御する、
ことを特徴とする請求項５に記載のリアルタイムクロックモジュール。
【請求項７】
前記第１電圧検出回路から出力された信号に基づいて、前記第１スイッチ回路に信号を出力する遅延回路を有し、
前記第１スイッチ回路は、前記遅延回路から出力された信号に基づいて前記発振回路の電力消費を低減させるように前記発振回路の動作を制御する、
ことを特徴とする請求項１乃至６のいずれか一項に記載のリアルタイムクロックモジュール。
【請求項８】
前記記録制御回路は、前記第１電圧検出回路から出力された信号に基づいて、前記第１スイッチ回路に信号を出力し、
前記第１スイッチ回路は、前記記録制御回路から出力された信号に基づいて、前記発振回路の電力消費を低減させるように前記発振回路の動作を制御する、
ことを特徴とする請求項１乃至７のいずれか一項に記載のリアルタイムクロックモジュール。
【請求項９】
請求項１乃至８のいずれかの項に記載のリアルタイムクロックモジュールを有する電子機器。
【請求項１０】
発振回路が、電源電圧が印加されてクロック信号を生成するステップと、
計時回路が、前記クロック信号に基づいて計時データを出力するステップと、
前記電源電圧が第１閾値以下になったことを第１電圧検出回路が検出するステップと、
記録制御回路が、入力されたイベントを前記計時データに関連付けて、メモリーに記録させるステップと、
前記電源電圧が前記第１閾値以下になったことが検出されて、第１スイッチ回路が前記発振回路の動作を停止させるステップと
を有する制御方法。
【手続補正２】
【補正対象書類名】明細書
【補正対象項目名】０００５
【補正方法】変更
【補正の内容】
【０００５】
［適用例1］電源電圧が印加されてクロック信号を生成する発振回路と、前記クロック信号に基づいて計時データを出力する計時回路と、前記電源電圧を監視する第１電圧検出回路と、データを、前記電源電圧に基づいてメモリーに記録させる記録制御回路と、前記電源電圧を前記第１電圧検出回路により監視した結果に基づいて、前記発振回路の電力消費を低減させるように前記発振回路の動作を制御する第１スイッチ回路と、を有するリアルタイムクロックモジュール。
［適用例２］前記発振回路の電力消費を低減させるように前記発振回路の動作を制御することは、前記発振回路の停止を制御することであることを特徴とする、適用例１に記載のリアルタイムクロックモジュール。
［適用例３］前記第１電圧検出回路は、第１閾値と前記電源電圧とを比較した信号を出力することを特徴とする、適用例１または２に記載のリアルタイムクロックモジュール。
［適用例４］前記データは、入力されたイベントと前記計時データとを関連付けたデータであることを特徴とする、適用例１乃至３のいずれか一項に記載のリアルタイムクロックモジュール。
［適用例５］前記電源電圧を監視する第２電圧検出回路と、前記イベントの入力を検出するイベント検出回路と、前記電源電圧を前記第２電圧検出回路により監視した結果に基づいて、前記イベント検出回路の動作を制御する第２スイッチ回路と、を有することを特徴とする適用例４に記載のリアルタイムクロックモジュール。
［適用例６］前記第１スイッチ回路は、前記第２電圧検出回路から出力された信号、および前記イベント検出回路から出力された信号に基づいて、前記発振回路の動作を制御する、ことを特徴とする適用例５に記載のリアルタイムクロックモジュール。
［適用例７］前記第１電圧検出回路から出力された信号に基づいて、前記第１スイッチ回路に信号を出力する遅延回路を有し、前記第１スイッチ回路は、前記遅延回路から出力された信号に基づいて前記発振回路の電力消費を低減させるように前記発振回路の動作を制御する、ことを特徴とする適用例１乃至６のいずれか一項に記載のリアルタイムクロックモジュール。
［適用例８］前記記録制御回路は、前記第１電圧検出回路から出力された信号に基づいて、前記第１スイッチ回路に信号を出力し、前記第１スイッチ回路は、前記記録制御回路から出力された信号に基づいて、前記発振回路の電力消費を低減させるように前記発振回路の動作を制御する、ことを特徴とする請求項１乃至７のいずれか一項に記載のリアルタイムクロックモジュール。
［適用例９］適用例１乃至８のいずれかの項に記載のリアルタイムクロックモジュールを有する電子機器。
［適用例１０］発振回路が、電源電圧が印加されてクロック信号を生成するステップと、計時回路が、前記クロック信号に基づいて計時データを出力するステップと、前記電源電圧が第１閾値以下になったことを第１電圧検出回路が検出するステップと、記録制御回路が、入力されたイベントを前記計時データに関連付けて、メモリーに記録させるステップと、前記電源電圧が前記第１閾値以下になったことが検出されて、第１スイッチ回路が前記発振回路の動作を停止させるステップとを有する制御方法。
本発明は、外部から電源電圧の印加を受けてクロック信号を生成する発振回路と、前記クロック信号に基づいて計時データを出力する計時回路と、前記電源電圧が第１閾値以下になったことを検出する第１電圧検出回路と、入力されたイベントを前記計時データに関連付けて、前記電源電圧に基づいてデータを保持するメモリーに記録させる記録制御回路と、前記電源電圧が前記第１閾値以下になったことが検出された場合、前記発振回路の動作を停止させる第１スイッチ回路とを有するリアルタイムクロックモジュールを提供する。
このリアルタイムクロックモジュールによれば、電源電圧が前記第１閾値以下になったときに発振回路の動作を停止させない場合と比較して、メモリーに記憶されたデータを維持できる時間をより長くすることができる。